(57)【要約】【課題】組み立てやすく、座板の位置を前後方向にも調整でき、背を高くして使用することもできる子供用椅子を提供する。【解決手段】縦材５、斜材６及び底材７を三角状に接合した一対の側枠１と、その間に高さ調整自在に架設される座板２と、側枠１の上部間を繋ぐ凭れ材３と、側枠１の下部間を繋ぐ桟材４とから成り、各側枠１の斜材６の内面に前後方向の溝９を上下に並べて複数条形成し、座板２を両側枠１の斜材６のいずれかの溝９に嵌めて支持すると共に、前後方向の位置を適宜調整して、縦材５に係止できるものとする。また、家具台に載せて固定できるようにする。【選択図】  図４
2004337409.tif 000002
【特許請求の範囲】
【請求項１】
縦材５、斜材６及び底材７を三角状に接合した一対の側枠１と、その間に高さ調整自在に架設される座板２と、側枠１の上部間を繋ぐ凭れ材３と、側枠１の下部間を繋ぐ桟材４とから成り、各側枠１の斜材６の内面に前後方向の溝９を上下に並べて複数条形成し、座板２を両側枠１の斜材６のいずれかの溝９に嵌めて支持すると共に、縦材５に係止するようにした子供用椅子。
【請求項２】
前記縦材５に、上下に列をなすように挿通穴８を多数穿設して、その列を前後に複数配置し、いずれかの列の挿通穴８を介してボルト２５を座板２にねじ込むことにより、座板２を前後方向に位置調整可能に固定した請求項１に記載の子供用椅子。
【請求項３】
請求項１又は２に記載の子供用椅子を上部構成体として家具台３０に載せ、上部構成体の一対の側枠１を家具台３０の一対の方形側枠３１間に嵌め込み、底材７を家具台３０の天板３２に当接させ、方形側枠３１の上部に穿設した挿通穴３５を介してボルト３６を側枠１の下部にねじ込むことにより、上部構成体を家具台３０に固定した子供用椅子。
【発明の詳細な説明】
【０００１】
【発明の属する技術分野】
この発明は、子供が幼児期からある程度の年齢になるまで使用できる子供用椅子に関するものである。
【０００２】
【従来の技術】
例えば、下記特許文献１には、図１０に示すように、縦材５４と斜材５５とを上部で山形に接合した一対の側枠５１と、その間に架設される座板５２と、側枠５１の上部間を繋ぐ凭れ材５３とを備え、縦材５４及び斜材５５に上下に並べて設けた複数の挿通穴５６のいずれかにボルト５７を挿通し、座板５２を適宜の高さに固定できるようにした子供用の椅子が記載されている。
【０００３】
【特許文献１】
実開平６−８４９４７号公報
【０００４】
【発明が解決しようとする課題】
しかしながら、上記のような椅子では、側枠に座板を取り付ける際、座板を支えつつ両側のボルトをねじ込まなければならず、作業に手間取るほか、凭れ材に対する座板の前後方向の位置を調整することができないという問題もある。
【０００５】
また、側枠の高さは限定され、台などに安定して載せられる構造にはなっていないことから、幼児の食事に際し、食卓に向き合わせる背の高い椅子としては使用できず、用途が限定されるという問題もある。
【０００６】
そこで、この発明は、組み立てやすく、座板の位置を前後方向にも調整でき、背を高くして使用することもできる子供用椅子を提供することを課題とする。
【０００７】
【課題を解決するための手段】
上記課題を解決するため、この発明に係る子供用椅子は、縦材、斜材及び底材を三角状に接合した一対の側枠と、その間に高さ調整自在に架設される座板と、側枠の上部間を繋ぐ凭れ材と、側枠の下部間を繋ぐ桟材とから成り、各側枠の斜材の内面に前後方向の溝を上下に並べて複数条形成し、座板を両側枠の斜材のいずれかの溝に嵌め、支持した状態で縦材に係止するようにしたのである。
【０００８】
また、前記縦材に、上下に列をなすように挿通穴を多数穿設して、その列を前後に複数配置し、いずれかの列の挿通穴を介してボルトを座板にねじ込むことにより、座板を前後方向に位置調整可能に固定したのである。
【０００９】
また、この子供用椅子を上部構成体として家具台に載せ、上部構成体の一対の側枠を家具台の一対の方形側枠間に嵌め込み、底材を家具台の天板に当接させ、方形側枠の上部に穿設した挿通穴を介してボルトを側枠の下部にねじ込むことにより、上部構成体を家具台に固定できるようにしたのである。
【００１０】
【発明の実施の形態】
以下、この発明の実施の形態を添付図面に基づいて説明する。
【００１１】
この子供用椅子は、天然木を素材とするものであり、図１に示すように、縦材５、斜材６及び底材７を三角状に接合した一対の側枠１と、その間に高さ調整自在に架設される座板２と、側枠１の上部間を繋ぐ凭れ材３と、側枠１の下部間を繋ぐ２本の丸棒状の桟材４とから構成される。
【００１２】
側枠１の縦材５には、上下に列をなすように挿通穴８が多数穿設され、その列が前後２列に配置されている。斜材６の内面には、前後方向の溝９が挿通穴８に対応して上下に並ぶように複数条形成されている。
【００１３】
斜材６の上部には１個の挿通穴１０が、底材７には２個の挿通穴１１がそれぞれ穿設され、斜材６の上部内面には２個の嵌込穴１２が形成されている。斜材６の上部外面には２個のナット１３が、斜材６の下部及び底材７の後部外面にはナット１４がそれぞれ圧入されている。
【００１４】
凭れ材３の両端面には挿入穴１５と、側枠１の嵌込穴１２に嵌める２本の突起１６とが設けられ、図２に示すように、凭れ材３の後面には、挿入穴１５に連通する挿入穴１７が形成されている。この挿入穴１７に円筒状のナット１８を挿入し、ナット１８に挿通穴１０及び挿入穴１５を介してボルト１９をねじ込むと、側枠１と凭れ材３とが連結される。
【００１５】
桟材４の両端面には、図３に示すように、挿入穴２０が形成され、桟材４の外周面には、挿入穴２０に連通する挿入穴２１が形成されている。この挿入穴２１に円筒状のナット２２を挿入し、ナット２２に挿通穴１１及び挿入穴２０を介してボルト２３をねじ込むと、側枠１と桟材４とが連結される。
【００１６】
座板２の端面後部には、図１に示すように、ナット２４が圧入され、いずれかの溝９に座板２を前方からスライドさせるように嵌め、ナット２４にいずれかの挿通穴８を介してボルト２５をねじ込むと、座板２が側枠１に固定され、図４に示すような形態に組み立てることができる。
【００１７】
この組み立てに際しては、座板２が溝９で支持されているので、座板２を手で支えておかなくても、挿通穴８とナット２４の高さが一致して、ボルト２５を容易にねじ込むことができ、家庭でも簡単に組立作業を行うことができる。
【００１８】
また、使用時には、大きな荷重が作用する座板２の両側中間部が溝９でバランスよく受け止められ、特定部分への荷重の集中が防止されるので、強度や耐久性に優れたものとなる。
【００１９】
そして、この椅子では、座板２を嵌める溝９とボルト２５を挿通する挿通穴８を上下に変更することにより、図５に示すように、座板２の高さを下げるなど、座板２を子供の身長に応じて適宜の高さに設定できる。
【００２０】
また、ボルト２５を挿通する挿通穴８の列を前後に変更することにより、図６に示すように、座板２を図４に示す状態よりも凭れ材３に対し後退させて、浅く腰掛けられるようにするなど、座板２を前後方向に位置調整できる。
【００２１】
そのほか、図７に示すように、この椅子を机となる家具台３０と組み合わせて使用すると、子供を椅子に座らせて、机上で絵などを描かせることができる。家具台３０は、一対の方形側枠３１間に天板３２及び棚板３３を水平に向けて架設し、その後方に背板３４を立てたものとする。
【００２２】
また、この椅子には、図８に示すように、小型テーブル４０を取り付けることができる。この小型テーブル４０は、テーブル板４１から両側後方へステー４２が延びたものであり、椅子への取り付けに際しては、ステー４２の挿入穴４３を介してボルト４４を側枠１のナット１３にねじ込む。
【００２３】
また、図９に示すように、この椅子を上部構成体として、上記のような家具台３０に載せると、幼児に食事をさせる際、食卓に向き合わせる背の高い椅子として使用することももできる。
【００２４】
このとき、一対の側枠１が家具台３０の一対の方形側枠３１間に嵌まり込み、底材７が家具台３０の天板３２に当接するので、方形側枠３１の上部に穿設した挿通穴３５を介してボルト３６を側枠１の下部のナット１４にねじ込むことにより、この椅子を家具台３０に安定して固定することができる。
【００２５】
なお、このように背の高い椅子として使用する際には、座板２からの幼児のすべり落ちを防止するため、保護ベルト４５をテーブル板４１の裏面の掛け具と座板２前部の長穴２６とに通して取り付けておく必要がある。
【００２６】
【発明の効果】
以上のように、この発明に係る子供用椅子では、側枠の斜材に形成した溝に座板が支持されるので、組み立てに際し、座板を手で支えることなく、側枠に固定することができ、家庭でも簡単に組み立てることができる。
【００２７】
また、前記側枠の縦材に、上下に列をなすように挿通穴を多数穿設して、その列を前後に複数配置することにより、座板の高さだけでなく、前後方向の位置も調整することができる。
【００２８】
また、この子供用椅子を上部構成体として家具台に載せ、三角状の側枠の下部に家具台の方形側枠の挿通穴を介してボルトをねじ込むと、安定した背の高い椅子として使用することができる。
【図面の簡単な説明】
【図１】この発明に係る子供用椅子の構成部材を示す分解斜視図
【図２】同上の側枠と凭れ材との連結部分を示す拡大斜視図
【図３】同上の側枠と桟材との連結部分を示す拡大斜視図
【図４】同上の組立状態を示す斜視図
【図５】同上の座板を下げた状態を示す斜視図
【図６】同上の座板を後退させた状態を示す側面図
【図７】同上の机とする家具台と組み合わせた状態を示す斜視図
【図８】同上の小型テーブルを取り付けた状態を示す斜視図
【図９】同上の背の高い食事用椅子とした状態を示す斜視図
【図１０】従来の子供用椅子を示す斜視図
【符号の説明】
１  側枠
２  座板
３  凭れ材
４  桟材
５  縦材
６  斜材
７  底材
８  挿通穴
９  溝
１０，１１  挿通穴
１２  嵌込穴
１３，１４  ナット
１５  挿入穴
１６  突起
１７  挿入穴
１８  ナット
１９  ボルト
２０，２１  挿入穴
２２  ナット
２３  ボルト
２４  ナット
２５  ボルト
２６  長穴
３０  家具台
３１  方形側枠
３２  天板
３３  棚板
３４  背板
３５  挿通穴
３６  ボルト
４０  小型テーブル
４１  テーブル板
４２  ステー
４３  挿入穴
４４  ボルト
【図１】
2004337409.tif 000003
【図２】
2004337409.tif 000004
【図３】
2004337409.tif 000005
【図４】
2004337409.tif 000006
【図５】
2004337409.tif 000007
【図６】
2004337409.tif 000008
【図７】
2004337409.tif 000009
【図８】
2004337409.tif 000010
【図９】
2004337409.tif 000011
【図１０】
2004337409.tif 000012